(57)【要約】      （修正有）【課題】金属腐食性液体等の液体のバネ等の金属製部品との接触を防止し、部品を長寿命化し、長期間の信頼性の確保に適したトリガー噴霧装置の提供。【解決手段】金属腐食性の液体を収容した容器本体に取り付ける取付部に一体的に設け、底側を流路側に向けて設けた外筒部５１と、外筒部５１に同軸的に設けると共に、外周壁を外筒部５１の内周壁とに隙間をもって配置し、底部に流路７２側に接続するシリンダ部５２と、シリンダ部５２の先端を底部に向けて摺動自在に挿脱するピストン５４と、ピストン５４を往復動する手動レバー６０と、ピストン５４の基端側に設けた鍔部５５ａと、鍔部５５ａと、シリンダ部５２の先端部との間に配置し、ピストン５４をシリンダ部５２から脱する方向に付勢するコイルバネ５８と、シリンダ部５２の開口端と鍔部５５ａとの間に介装し、コイルバネ５８を内面側に収容するスリーブ部５３と、を備えたトリガー式噴霧器。【選択図】図３
2018114461.tif 000002
【特許請求の範囲】
【請求項１】
液体を収容するための開口部を有する収容容器と、
この収容容器の開口部に着脱自在に取り付けられる取付部と、
この取付部から前記収容容器内にその先端が延設された吸引管と、
前記取付部に設けられ、前記吸引管の他端側が接続された流路と、
前記取付部に一体的に設けられ、底側を前記流路側に向けて設けられた外筒部と、
この外筒部に同軸的に設けられると共に、外周壁が前記外筒部の内周壁と隙間をもって配置され、底部に前記流路側に接続される開口部を有するシリンダ部と、
このシリンダ部の先端を前記底部に向けて摺動自在に挿脱されるピストンと、
前記ピストンの基端側に取り付けられ、前記ピストンを往復動させる手動レバーと、
前記ピストンの基端側に設けられた係合部と、
この係合部と、前記シリンダ部の先端部との間に配置され、前記ピストンを前記シリンダ部から脱する方向に付勢するコイルバネと、
前記シリンダ部の開口端と前記係合部との間に介装され、前記コイルバネを内面側に収容するスリーブと、
前記取付部に設けられ、前記収容容器と前記外筒部との間を連通する空気流路と、
前記流路に接続されたノズルとを備えているトリガー式噴霧器。
【請求項２】
前記液体は、金属腐食性液体であり、前記コイルバネは金属材製であることを請求項１に記載のトリガー式噴霧器。
【請求項３】
液体を収容するための開口部を有する収容容器と、
この収容容器の開口部に着脱自在に取り付けられる取付部と、
この取付部から前記収容容器内にその先端が延設された吸引管と、
前記取付部に設けられ、前記吸引管の他端側が接続された流路と、
前記取付部に一体的に設けられ、底側を前記流路側に向けて設けられた外筒部と、
この外筒部に同軸的に設けられると共に、外周壁が前記外筒部の内周壁と隙間をもって配置され、底部に前記流路側に接続される開口部を有するシリンダ部と、
このシリンダ部を先端を前記底部に向けて摺動自在に挿脱されると共に軸方向に貫通する貫通孔が設けられたピストンと、
前記ピストンの基端側に取り付けられ、前記ピストンを往復動させる手動レバーと、
前記ピストンの基端側に設けられた係合部と、
この係合部と、前記シリンダ部の先端部との間に配置され、前記ピストンを前記シリンダ部から脱する方向に付勢するコイルバネと、
前記シリンダ部の開口端と前記係合部との間に介装され、前記コイルバネを内面側に収容するスリーブと、
前記取付部に設けられ、前記収容容器と前記外筒部との間を連通する空気流路と、
前記ピストンの基端側の前記貫通孔に接続されたノズルとを備えているトリガー式噴霧器。
【請求項４】
前記液体は、金属腐食性液体であり、前記コイルバネは金属材製であることを請求項３に記載のトリガー式噴霧器。
【発明の詳細な説明】
【技術分野】
【０００１】
この発明は、金属を腐食する性質を有する強酸や強アルカリ性、次亜塩素酸ナトリウム溶液等の金属腐食性液体を噴霧するのに適したトリガー式噴霧器に関する。
【背景技術】
【０００２】
水や洗剤等の液体を、噴霧器を用いて噴霧する場合、容器に収容された液体を加圧するためにポンプ機構を備えた構造を有する加圧型噴霧器がよく知られている。ポンプ機構を動作させる機構として、トリガー式のもの等が一般的に用いられている（例えば、特許文献１，２参照。）。ピストン−シリンダ式のものや、トリガー式のものは、バネによってピストンやトリガーを元の位置に復帰させるためにステンレス等の金属材製のバネが用いられている。
【０００３】
図６はトリガー式噴霧器１００の一例を示す縦断面図である。トリガー式噴霧器１００は、金属腐食性の液体Ｌを収容する樹脂材製の収容容器１２０と、この収容容器１２０の上部に着脱自在に取り付けられたトリガー式加圧構造体（手動操作加圧構造体）１３０とを備えている。
【０００４】
収容容器１２０は、金属腐食性の液体Ｌを収容する容器本体１２１と、この容器本体２１上に設けられ、外周部に雄ネジ１２２ａが形成された開口部１２２とを備えている。
【０００５】
トリガー式加圧構造体１３０は、容器本体１２１に着脱自在に取り付けられた取付部１４０と、この取付部１４０の上部に一体的に設けられた加圧ポンプ１５０と、この加圧ポンプ１５０を駆動する手動レバー１６０と、加圧ポンプ１５０の上部に一体的に設けられた噴出ヘッド１７０と、を備えている。
【０００６】
取付部１４０は、筒状大径の取付大径部１４１と筒状小径の取付小径部１４２が設けられている。取付大径部１４１の内壁面には上述した雄ネジ１２２ａに螺合する雌ネジ１４１ａが形成されている。
【０００７】
取付小径部１４２には、筒状の管支持部１４３が挿入されている。管支持部１４３は、管支持部１４３の外周には雄ネジ１４３ａが形成されている。また、管支持部１４３の内部にはスリーブ１４３ｂが形成されている。スリーブ１４３ｂには吸引管１４４の基端側が挿脱自在に挿入されている。吸引管１４４の先端側は容器本体１２１内に挿入される。取付小径部１４２には、小径の空気流路１４２ａが形成されている。空気流路１４２ａは、後述する外筒部１５１の内面に連通し、そのまま外部に連通している。
【０００８】
スリーブ１４３ｂの上部にはボール弁１４５が形成されている。
【０００９】
加圧ポンプ１５０は、円柱状の空間を有する外筒部１５１を有し、この外筒部１５１内には、図６中右端側からシリンダ部１５２が形成されている。シリンダ部１５２の軸方向長さは外筒部１５１の軸方向長さの概ね１／２の長さに形成されている。外筒部１５１の図６中左端側開口部は内径が大きく形成され、段差部１５３が形成されている。
【００１０】
外筒部１５１には、ピストン１５４が挿脱自在に挿入されている。ピストン１５４は、図６中左端側が閉じられた有底筒状に形成されたシャフト１５５と、このシャフト１５５の中空部に基端側が挿入されると共に先端側がシリンダ部１５２の内壁面に摺動する中空状の摺動部材１５６と、この摺動部材１５６の内部に挿入されたスペーサ１５７とが組み合わせられて構成されている。
【００１１】
シャフト１５５の図６中左端外周には、鍔部１５５ａが形成されている。鍔部１５５ａと上述した段差部１５３との間には、コイルバネ１５８が介装されている。コイルバネ１５８は、ピストン１５４を図６中左方へ付勢している。さらに、シャフト１５５の図６中左端面には凹部１５５ｂが形成されている。凹部１５５ｂには後述する手動レバー１６０の作用端１６２が揺動自在に接触している。
【００１２】
加圧ポンプ１５０の図６中左方には、手動レバー１６０が設けられている。手動レバー１６０は噴出ヘッド１７０に揺動軸が設けられ、動作端１６１を押圧することで、展開位置（図６参照）と引き締め位置との間を図６中矢印Ｐ方向に揺動するように構成されている。手動レバー１６０には作用端１６２が設けられ、作用端１６２の先端が上述した凹部１５５ｂに揺動自在に接触している。
【００１３】
噴出ヘッド１７０は、横長状に形成されると共に上述した外筒部１５１の上部と一体化したヘッド本体１７１を備えている。ヘッド本体１７１内部には、液体Ｌの流路１７２が形成されている。流路１７２の下端は、管支持部１４３の上端に連通している。ヘッド本体１７１にはノズル構造体１８０が着脱可能に取り付けられている。
【００１４】
流路１７２の先端側には、逆止弁１８４が設けられており、圧縮コイルバネにより流路１７２を塞ぐ方向に付勢されている。これにより、加圧ポンプ１５０により加圧され、流路１７２の先端部に到達した液体Ｌを後述するノズル１８３に向かい通過させる。逆止弁１８４はノズル１８３に向けて通過した後の液体Ｌが流路１７２に逆流することを阻止している。
【００１５】
ノズル構造体１８０は、筒状のノズル本体１８１と、このノズル本体１８１内に形成されたノズル流路１８２と、ノズル流路１８２の先端に取り付けられたノズル１８３とを備えている。
【００１６】
このように構成されたトリガー式噴霧器１００は、手動レバー１６０を握る動作と離す動作を繰り返すことで、加圧ポンプ１５０が動作し、液体Ｌが容器本体１２１から吸引され、加圧されてノズル１８３から外部に噴出される。なお、容器本体１２１内から液体Ｌが減った分は、空気流路１４２ａ及び外筒部１５１を通じて外部から空気を取り入れる。空気流路１４２ａはごく小径であるため、容器本体１２１を傾けても、空気流路１４２ａから液体Lが大量に流出することはない。
【先行技術文献】
【特許文献】
【００１７】
【特許文献１】特開２０１２−１５７８１７号公報
【特許文献２】特開２０００−１７６３３２号公報
【発明の概要】
【発明が解決しようとする課題】
【００１８】
上述したピストン−シリンダ式やトリガー式の加圧構造体を有する噴霧器にあっては次のような問題があった。すなわち、液体Ｌが次亜塩素酸ナトリウム溶液や、強酸や強アルカリ性を有し、金属を腐食させる性質を有する液体（以下、「金属腐食性液体」と称する。）である場合、図６に示すような空気流路１４２ｂから容器本体１２１を傾けた時に僅かに液体Ｌが外筒部１５１に流出し、コイルバネが使用中に金属腐食性液体に触れることがある。このため、徐々に腐食が進行し、最終的には破損することがある。このため、噴霧器の長寿命化が難しいという問題があった。
【００１９】
一方、バネをポンプ機構から離間した位置に設けたり、バネを密閉空間に設ける等の構造も考えられるが、バネの長さ・径が大きくなって低寿命化したり、ポンプ機構が複雑となり、噴霧器が大型化する等の問題がある。
【００２０】
そこで本発明は、金属腐食性液体等の液体がバネ等の金属製部品に接触することを防止し、部品を長寿命化し、長期間の信頼性を確保することができるトリガー式噴霧器を提供することを目的としている。
【課題を解決するための手段】
【００２１】
液体を収容するための開口部を有する収容容器と、この収容容器の開口部に着脱自在に取り付けられる取付部と、この取付部から前記収容容器内にその先端が延設された吸引管と、前記取付部に設けられ、前記吸引管の他端側が接続された流路と、前記取付部に一体的に設けられ、底側を前記流路側に向けて設けられた外筒部と、この外筒部に同軸的に設けられると共に、外周壁が前記外筒部の内周壁と隙間をもって配置され、底部に前記流路側に接続される開口部を有するシリンダ部と、このシリンダ部の先端を前記底部に向けて摺動自在に挿脱されるピストンと、前記ピストンの基端側に取り付けられ、前記ピストンを往復動させる手動レバーと、前記ピストンの基端側に設けられた係合部と、この係合部と、前記シリンダ部の先端部との間に配置され、前記ピストンを前記シリンダ部から脱する方向に付勢するコイルバネと、前記シリンダ部の開口端と前記係合部との間に介装され、前記コイルバネを内面側に収容するスリーブと、前記取付部に設けられ、前記収容容器と前記外筒部との間を連通する空気流路と、前記流路に接続されたノズルとを備えている。
【００２２】
液体を収容するための開口部を有する収容容器と、この収容容器の開口部に着脱自在に取り付けられる取付部と、この取付部から前記収容容器内にその先端が延設された吸引管と、前記取付部に設けられ、前記吸引管の他端側が接続された流路と、前記取付部に一体的に設けられ、底側を前記流路側に向けて設けられた外筒部と、この外筒部に同軸的に設けられると共に、外周壁が前記外筒部の内周壁と隙間をもって配置され、底部に前記流路側に接続される開口部を有するシリンダ部と、このシリンダ部を先端を前記底部に向けて摺動自在に挿脱されると共に軸方向に貫通する貫通孔が設けられたピストンと、前記ピストンの基端側に取り付けられ、前記ピストンを往復動させる手動レバーと、前記ピストンの基端側に設けられた係合部と、この係合部と、前記シリンダ部の先端部との間に配置され、前記ピストンを前記シリンダ部から脱する方向に付勢するコイルバネと、前記シリンダ部の開口端と前記係合部との間に介装され、前記コイルバネを内面側に収容するスリーブと、前記取付部に設けられ、前記収容容器と前記外筒部との間を連通する空気流路と、前記ピストンの基端側の前記貫通孔に接続されたノズルとを備えている。
【発明の効果】
【００２３】
本発明によれば、腐食性液体等の液体がバネ等の金属製部品に接触することを防止し、部品を長寿命化し、長期間の信頼性を確保することが可能となる。
【図面の簡単な説明】
【００２４】
【図１】図１は、本発明の第１実施形態に係るトリガー式噴霧器を示す縦断面図である。
【図２】図２は、同トリガー式噴霧器に組み込まれたポンプ部を示す縦断面図である。
【図３】図３は、同ポンプ部を示す横断面図である。
【図４】図４は、同ポンプ部における加圧状態を示す縦断面図である。
【図５】図５は、本発明の第２実施形態に係るトリガー式噴霧器の要部を示す縦断面図である。
【図６】図６は、トリガー式噴霧器の一例を示す縦断面図である。
【発明を実施するための形態】
【００２５】
［第１実施形態］
図１乃至図４を参照してこの発明の第１実施形態に従ったトリガー式噴霧器１０について説明する。なお、図中Ｌは例えば、殺菌用の次亜塩素酸ナトリウム水溶液や、強酸・強アルカリ性等の金属腐食性の液体を示している。また、トリガー式噴霧器１０を構成する部材は特に示さない限りポリエチレン系の合成樹脂材製である。ポリエチレン系の合成樹脂材は、耐薬品性が高く、かつ、柔軟であり、長寿命である。
【００２６】
トリガー式噴霧器１０は、液体Ｌを収容する樹脂材製の収容容器２０と、この収容容器２０の上部に着脱自在に取り付けられたトリガー式加圧構造体（手動操作加圧構造体）３０とを備えている。
【００２７】
収容容器２０は、金属腐食性の液体Ｌを収容する容器本体２１と、この容器本体２１上に設けられ、外周部に雄ネジ２２ａが形成された開口部２２とを備えている。
【００２８】
トリガー式加圧構造体３０は、容器本体２１に着脱自在に取り付けられた取付部４０と、この取付部４０の上部に一体的に設けられた加圧ポンプ５０と、この加圧ポンプ５０を駆動する手動レバー６０と、加圧ポンプ５０の上部に一体的に設けられた噴出ヘッド７０と、を備えている。
【００２９】
取付部４０は、筒状大径の取付大径部４１と筒状小径の取付小径部４２が設けられている。取付大径部４１の内壁面には上述した雄ネジ２２ａに螺合する雌ネジ４１ａが形成されている。取付小径部４２の内壁面には雌ネジ４２ａが形成されている。
【００３０】
取付小径部４２には、筒状の管支持部４３が挿入されている。管支持部４３は、管支持部４３の外周には雄ネジ４３ａが形成されている。また、管支持部４３の内部にはスリーブ４３ｂが形成されている。スリーブ４３ｂには吸引管４４の基端側が挿脱自在に挿入されている。吸引管４４の先端側は容器本体２１内に挿入される。図２及び図３に示すように、取付小径部４２には、小径の空気流路４２ｂが形成されている。空気流路４２ｂは、後述する外筒部５１の内周面とシリンダ部５２の外周面との隙間Ｓａに連通している。この隙間Ｓａは、外筒部５１の内面と後述するスリーブ部５３の外周面との隙間Ｓｂを介して外部に連通している。
【００３１】
スリーブ４３ｂの上部にはボール弁４５が形成されている。ボール弁４５は、スリーブ４３ｂの内壁面に形成された弁座４５ａと、弁座４５ａの中心に形成された通流孔４５ｂと、弁座４５ａ上に配置され、通流孔４５ｂの内径より大径のセラミック材製の球体（弁体）４５ｃとを備えている。
【００３２】
図２〜図４に示すように、加圧ポンプ５０は、円柱状の空間を有する外筒部５１を有し、この外筒部５１内には、図３中右端側からシリンダ部５２とスリーブ部５３とが直列に介装されている。シリンダ部５２及びスリーブ部５３の軸方向長さは外筒部５１の軸方向長さの概ね１／２の長さに形成されている。また、シリンダ部５２の外周には軸方向に沿って複数のリブ（突条）５２ａが形成されている。リブ５２ａはシリンダ部５２の強度向上を図ると共に、シリンダ部５２の外周面と外筒部５１内周面との間に隙間Ｓａを形成する機能を有している。
【００３３】
シリンダ部５２の図３中左端側開口部は僅かに内径が大きくなる拡径部５２ｂが設けられている。スリーブ部５３の図３中内径側には鍔部（係合部）５３ｂが形成されている。上述した拡径部５２ｂと鍔部５３ｂとは突き当てられている。
【００３４】
シリンダ部５２の内部には、シリンダ部５２と同軸的にフッ素系の合成樹脂材製のピストン５４が挿脱自在に挿入されている。フッ素系の合成樹脂材は、ポリエチレン系の合成樹脂材に比べて硬いため、力の加わるピストン５４の材質として適している。ピストン５４は、図３中左端側が閉じられた有底筒状に形成されたシャフト５５と、このシャフト５５の中空部に基端側が挿入されると共に先端側がシリンダ部５２の内壁面に摺動する中空状の摺動部材５６と、この摺動部材５６の内部に挿入されたスペーサ５７とが組み合わせられて構成されている。
【００３５】
シャフト５５の図３中左端外周には、鍔部５５ａが形成されている。鍔部５５ａと上述した鍔部５３ｂとの間には、コイルバネ５８が介装されている。コイルバネ５８は、ピストン５４を図３中左方へ付勢している。さらに、シャフト５５の図３中左端面には凹部５５ｂが形成されている。凹部５５ｂには後述する手動レバー６０の作用端６２が揺動自在に接触している。
【００３６】
加圧ポンプ５０の図３中左方には、手動レバー６０が設けられている。手動レバー６０は噴出ヘッド７０に揺動軸が設けられ、動作端６１を押圧することで、展開位置（図３参照）と引き締め位置（図１参照）との間を図１中矢印Ｐ方向に揺動するように構成されている。手動レバー６０には作用端６２が設けられ、作用端６２の先端が上述した凹部５５ｂに揺動自在に接触している。なお、手動レバー６０の引き締め位置において、図２に示すように、摺動部材５６がシリンダ部５２の底部に近接させる寸法となっており、鍔部５５ａは外筒部５１に当接しない。
【００３７】
噴出ヘッド７０は、横長状に形成されると共に上述した外筒部５１の上部と一体化したヘッド本体７１を備えている。ヘッド本体７１内部には、液体Ｌの流路７２が形成されている。流路７２の下端は、管支持部４３の上端に連通している。ヘッド本体７１にはノズル構造体８０が着脱可能に取り付けられている。
【００３８】
流路７２の先端側には、逆止弁８４が設けられており、圧縮コイルバネにより流路７２を塞ぐ方向に付勢されている。これにより、加圧ポンプ５０により加圧され、流路７２の先端部に到達した液体Ｌを後述するノズル８３に向かい通過させる。逆止弁８４はノズル８３に向けて通過した後の液体Ｌが流路７２に逆流することを阻止している。
【００３９】
ノズル構造体８０は、筒状のノズル本体８１と、このノズル本体８１内に形成されたノズル流路８２と、ノズル流路８２の先端に取り付けられたノズル８３とを備えている。
【００４０】
このように構成されたトリガー式噴霧器１０は、次のようにして液体Ｌの噴霧を行う。すなわち、トリガー式加圧構造体３０の取付大径部４１を容器本体２１から取り外し、開口部２２から液体Ｌを内部に入れる。次に、容器本体２１に取付大径部４１をネジ込んで固定する。
【００４１】
トリガー式加圧構造体３０の手動レバー６０を離した状態（展開位置）であると、図３に示すようにコイルバネ５８の付勢力により、ピストン５４はシリンダ部５２から突出した状態となる。
【００４２】
次に、手動レバー６０を握ると、作用端６２がピストン５４の凹部５５ｂを押圧する。これにより、ピストン５４がコイルバネ５８の付勢力に抗して、シリンダ部５２に挿入される。手動レバー６０は引き締め位置において停止する。この時、ボール弁４５の作用により、シリンダ部５２内の空気は容器本体２１側に向かうことなく、流路７２及びノズル流路８２を経由して、ノズル８３から外部に噴出される。
【００４３】
次に、手動レバー６０を離すと、コイルバネ５８の付勢力により、ピストン５４がシリンダ部５２から突出し、シリンダ部５２内が負圧（大気圧未満）となる。これにより、ボール弁４５が開き、吸引管４４から液体Ｌが吸い上げられ、流路７２を経由して、シリンダ部５２内に導入される。
【００４４】
次に、手動レバー６０を握ると、作用端６２がピストン５４の凹部５５ｂを押圧する。これにより、ピストン５４がコイルバネ５８の付勢力に抗して、シリンダ部５２に挿入され、液体Ｌを加圧する。この時、ボール弁４５の作用により、液体Ｌは容器本体２１側に向かうことなく、流路７２及びノズル流路８２を経由して、ノズル８３から外部に噴出される。このような手動レバー６０を握る、離す動作（すなわち展開位置と引き締め位置との往復）を繰り返すことで、ノズル８３から間欠的に液体Ｌを噴出させることができる。
【００４５】
なお、液体Lが噴出することで容器本体２１内は負圧になると、液体Lが出にくくなるため、噴出した体積分の空気を外部から取り入れる必要がある。前述したように流路７２側からはボール弁４５の作用により流入することは無いため、前述した取付小径部４２に設けられた空気流路４２ｂ及び加圧ポンプ５０を通じて外部から空気を取り入れる。空気流路４２ｂはごく小径であるため、容器本体２１を傾けても、空気流路４２ｂから液体Lが大量に流出することはない。
【００４６】
次に、加圧ポンプ５０のコイルバネ５８が液体Ｌに接触しない構造について説明する。液体Lが金属腐食性液体であると、コイルバネ５８を腐食する可能性がある。トリガー式噴霧器１０は、立てて置いた状態においては液体Ｌが加圧ポンプ５０に流入することはほとんど無い。一方、容器本体２１を傾けると、液体Lが空気流路４２ｂを介して少量ずつ外に流出する場合がある。なお、液体Lが容器本体２１から流出すると、容器本体２１内が負圧となるため、流出し続けることはない。
【００４７】
容器本体２１から少量ずつ液体Lが空気流路４２ｂを介して加圧ポンプ５０に流出した場合、液体Lは外筒部５１とシリンダ部５２の隙間Ｓａに到達する。シリンダ部５２の周囲にはリブ５２ａが形成されているため、シリンダ部５２外周面によって塞がれることなく、隣接する外筒部５１とスリーブ部５３との隙間Ｓｂに到達する。さらに隙間Ｓｂに到達した液体Ｌは外筒部５１の開口部から外部に排出される。この時、コイルバネ５８の周囲にはスリーブ部５３が配置されているため、液体Ｌがコイルバネ５８に接触することがない。なお、液体Ｌが蒸発した場合には、スリーブ部５３によって完全に液体Ｌとの接触を遮断することはできないが、僅かな量であり、コイルバネ５８の腐食は最小限に抑えることができる。
【００４８】
上述したように本実施形態に係るトリガー式噴霧器１０においては、コイルバネ５８を長寿命化のため小径で、かつ、軸方向の長さを短くし、ピストン５４の周囲に配置した場合であっても、スリーブ部５３により金属腐食性液体である液体Ｌに触れることを防止し、コイルバネ５８の低寿命化を防止することができる。スリーブ部５３は、コイルバネ５８と外筒部５１との間の隙間に配置されるため、コイルバネ５８を小径としても、ピストン５４の動作に伴うがたつきの発生を防止することができる。
【００４９】
［第２実施形態］
図５を参照してこの発明の第２実施形態に従ったトリガー式噴霧器１０Ａについて説明する。なお、図５において、図１〜図４と同一機能部分には同一符号を付し、その一部の説明は省略する。
【００５０】
トリガー式噴霧器１０Ａは、金属腐食性の液体Ｌを収容する樹脂材製の収容容器２０と、この収容容器２０の上部に着脱自在に取り付けられたトリガー式加圧構造体３０Ａとを備えている。
【００５１】
収容容器２０は、金属腐食性の液体Ｌを収容する容器本体２１と、この容器本体２１上に設けられ、外周部に雄ネジ２２ａが形成された開口部２２とを備えている。
【００５２】
トリガー式加圧構造体３０Ａは、容器本体２１に着脱自在に取り付けられた取付部４０と、この取付部４０の上部に一体的に設けられた加圧ポンプ５０Ａと、この加圧ポンプ５０Ａを駆動する手動レバー６０Ａと、加圧ポンプ５０Ａの上部に一体的に設けられた噴出ヘッド７０Ａと、を備えている。
【００５３】
取付部４０は、筒状大径の取付大径部４１と筒状小径の取付小径部４２が設けられている。取付大径部４１の内壁面には雄ネジ２２ａに螺合する雌ネジ４１ａが形成されている。取付小径部４２の内壁面には雌ネジ４２ａが形成されている。
【００５４】
取付小径部４２には、筒状の管支持部４３が挿入されている。管支持部４３は、管支持部４３の外周には雄ネジ４３ａが形成されている。また、管支持部４３の内部にはスリーブ４３ｂが形成されている。スリーブ４３ｂには吸引管４４の基端側が挿脱自在に挿入されている。吸引管４４の先端側は容器本体２１内に挿入される。取付小径部４２には、小径の空気流路４２ｂが形成されている。空気流路４２ｂは、外筒部５１の内面とシリンダ部５２の外周面との隙間Ｓａに連通している。この隙間Ｓａは、外筒部５１の内面と後述するスリーブ部５３の外周面との隙間Ｓｂを介して外部に連通している。
【００５５】
スリーブ４３ｂの上部にはボール弁４５が形成されている。
【００５６】
加圧ポンプ５０Ａは、円柱状の空間を有する外筒部５１を有し、この外筒部５１内には、図４中右端側からシリンダ部５２とスリーブ部５３とが直列に介装されている。シリンダ部５２及びスリーブ部５３の軸方向長さは外筒部５１の軸方向長さの概ね１／２の長さに形成されている。また、シリンダ部５２の外周には軸方向に沿って複数のリブ５２ａが形成されている。リブ５２ａはシリンダ部５２の強度向上を図ると共に、シリンダ部５２の外周面と外筒部５１内周面との間に隙間Ｓａを形成する機能を有している。
【００５７】
シリンダ部５２の左端側開口部は僅かに内径が大きくなる拡径部５２ｂが設けられている。スリーブ部５３の内径側には鍔部５３ｂが形成されている。上述した拡径部５２ｂと鍔部５３ｂとは突き当てられている。
【００５８】
シリンダ部５２の内部には、シリンダ部５２と同軸的にフッ素系の合成樹脂材製のピストン５４Ａが挿脱自在に挿入されている。フッ素系の合成樹脂材は、ポリエチレン系の合成樹脂材に比べて硬いため、力の加わるピストン５４Ａの材質として適している。ピストン５４Ａは、筒状に形成されたシャフト５５Ａと、このシャフト５５Ａの右端側が挿入されると共に先端側がシリンダ部５２の内壁面に摺動する中空状の摺動部材５６と、この摺動部材５６の内部に挿入されたスペーサ５７とが組み合わせられて構成されている。
【００５９】
シャフト５５Ａの図４中左端外周には、鍔部５５ａが形成されている。鍔部５５ａと上述した鍔部５３ｂとの間には、コイルバネ５８が介装されている。コイルバネ５８は、ピストン５４Ａを図５中左方へ付勢している。さらに、ピストン５４Ａ手動レバー６０Ａの作用端６２が揺動自在に接触している。
【００６０】
加圧ポンプ５０の図５中左方には、手動レバー６０Ａが設けられている。手動レバー６０Ａは噴出ヘッド７０Ａに揺動軸が設けられ、動作端６１を押圧することで、展開位置と引き締め位置との間を図５中矢印Ｐ方向に揺動するように構成されている。なお、手動レバー６０Ａの引き締め位置において、摺動部材５６がシリンダ部５２の底部に接する寸法となっており、鍔部５５ａは外筒部５１に当接しない。
【００６１】
噴出ヘッド７０Ａは、横長状に形成されると共に上述した外筒部５１の上部と一体化したヘッド本体Ａ７１を備えている。ヘッド本体Ａ７１内部には、液体Ｌの流路７２が形成されている。流路７２の下端は、管支持部４３の上端に連通している。ヘッド本体７１にはノズル構造体８０が着脱可能に取り付けられている。
【００６２】
流路７２の先端側には、ピストン５４Ａのスペーサ５７、摺動部材５６、シャフト５５Ａには、ピストン５４Ａの軸方向に貫通した貫通孔ＴＨが設けられていて、貫通孔ＴＨの先端側には逆止弁８４が設けられており、圧縮コイルバネにより流路７２を塞ぐ方向に付勢されている。これにより、加圧ポンプ５０により加圧され、流路７２の先端部に到達した液体Ｌを後述するノズル８３に向かい通過させる。逆止弁８４はノズル８３に向けて通過した後の液体Ｌが流路７２に逆流することを阻止している。
【００６３】
ノズル構造体８０は、筒状のノズル本体８１と、このノズル本体８１内に形成されたノズル流路８２と、ノズル流路８２の先端に取り付けられたノズル８３とを備えている。
【００６４】
このように構成されたトリガー式噴霧器１０Ａは、次のようにして液体Ｌの噴霧を行う。すなわち、トリガー式加圧構造体３０の取付大径部４１を容器本体２１から取り外し、開口部２２から液体Ｌを内部に入れる。次に、容器本体２１に取付大径部４１をネジ込んで固定する。
【００６５】
トリガー式加圧構造体３０の手動レバー６０を離した状態（展開位置）であると、図３に示すようにコイルバネ５８の付勢力により、ピストン５４Ａはシリンダ部５２から突出した状態となる。
【００６６】
次に、手動レバー６０を握ると、ピストン５４Ａを押圧する。これにより、ピストン５４Ａがコイルバネ５８の付勢力に抗して、シリンダ部５２に挿入される。手動レバー６０Ａは引き締め位置において停止する。この時、ボール弁４５の作用により、シリンダ部５２内の空気は容器本体２１側に向かうことなく、流路７２及びノズル流路８２を経由して、ノズル８３から外部に噴出される。
【００６７】
次に、手動レバー６０Ａを離すと、コイルバネ５８の付勢力により、ピストン５４Ａがシリンダ部５２から突出し、シリンダ部５２内が負圧（大気圧未満）となる。これにより、ボール弁４５が開き、吸引管４４から液体Ｌが吸い上げられ、流路７２を経由して、シリンダ部５２内に導入される。
【００６８】
次に、手動レバー６０Ａを握ると、ピストン５４Ａの鍔部５５ａを押圧する。これにより、ピストン５４Ａがコイルバネ５８の付勢力に抗して、シリンダ部５２に挿入され、液体Ｌを加圧する。この時、ボール弁４５の作用により、液体Ｌは容器本体２１側に向かうことなく、流路７２及びノズル流路８２を経由して、ノズル８３から外部に噴出される。このような手動レバー６０を握る、離す動作（すなわち展開位置と引き締め位置との往復）を繰り返すことで、ノズル８３から間欠的に液体Ｌを噴出させることができる。
【００６９】
なお、液体Lが噴出することで容器本体２１内は負圧になると、液体Lが出にくくなるため、噴出した体積分の空気を外部から取り入れる必要がある。前述したように流路７２側からはボール弁４５の作用により流入することは無いため、前述した取付小径部４２に設けられた空気流路４２ｂ及び加圧ポンプ５０を通じて外部から空気を取り入れる。空気流路４２ｂはごく小径であるため、容器本体２１を傾けても、空気流路４２ｂから液体Lが大量に流出することはない。なお、容器本体２１を傾ける等して、液体Lが空気流路４２ｂを介して少量ずつ外に流出する場合であっても、コイルバネ５８の周囲にはスリーブ部５３が配置されているため、液体Ｌがコイルバネ５８に接触することがない。
【００７０】
上述したように本実施形態に係るトリガー式噴霧器１０Ａにおいては、上述したトリガー式噴霧器１０と同様の効果を得ることができる。
【００７１】
上記した実施形態においては、液体Ｌとして金属腐食性液体を例示したが、金属腐食性液体以外の洗剤や水等の腐食性を有さない液体にも適用できる。
【００７２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７３】
１０，１０Ａ…トリガー式噴霧器、２０…収容容器、２１…容器本体、３０，３０Ａ…トリガー式加圧構造体（手動操作加圧構造体）、４０…取付部、４３…管支持部、４４…吸引管、４５…ボール弁、５０，５０Ａ…加圧ポンプ、５１…外筒部、５２…シリンダ部、５２ａ…リブ（突条）、５２ｂ…拡径部、５３…スリーブ部、５３ｂ…鍔部（係合部）、５４，５４Ａ…ピストン、５５…シャフト、５５ａ…鍔部、５５Ａ…シャフト、５５ｂ…凹部、５６…摺動部材、５８…コイルバネ、６０…手動レバー、６０Ａ…手動レバー、６１…動作端、６２…作用端、７０，７０Ａ…噴出ヘッド、７１，７１Ａ…ヘッド本体、７２…流路、８０…ノズル構造体、８４…逆止弁、１００…トリガー式噴霧器、１２０…収容容器、１２１…容器本体、１２２…開口部、１３０…トリガー式加圧構造体（手動操作加圧構造体）、１４０…取付部、１４３…管支持部、１４３ｂ…スリーブ、１４４…吸引管、１４５…ボール弁、１５０…加圧ポンプ、１５１…外筒部、１５２…シリンダ部、１５３…段差部、１５４…ピストン、１５５…シャフト、１５５ａ…鍔部、１５５ｂ…凹部、１５６…摺動部材、１５８…コイルバネ、１６０…手動レバー、１６１…動作端、１６２…作用端、１７０…噴出ヘッド、１７１…ヘッド本体、１７２…流路、１８０…ノズル構造体、１８４…逆止弁。
【図１】
2018114461.tif 000003
【図２】
2018114461.tif 000004
【図３】
2018114461.tif 000005
【図４】
2018114461.tif 000006
【図５】
2018114461.tif 000007
【図６】
2018114461.tif 000008
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
液体を収容するための開口部を有する収容容器と、
この収容容器の開口部に着脱自在に取り付けられる取付部と、
この取付部から前記収容容器内にその先端が延設された吸引管と、
前記取付部に設けられ、前記吸引管の他端側が接続された流路と、
前記取付部に一体的に設けられ、底側を前記流路側に向けて設けられた外筒部と、
この外筒部に同軸的に設けられると共に、外周壁が前記外筒部の内周壁と隙間をもって配置され、底部に前記流路側に接続される開口部を有するシリンダ部と、
このシリンダ部の先端を前記底部に向けて摺動自在に挿脱されるピストンと、
前記ピストンの基端側に取り付けられ、前記ピストンを往復動させる手動レバーと、
前記ピストンの基端側に設けられた鍔部と、
この鍔部と、前記シリンダ部の先端部との間に配置され、前記ピストンを前記シリンダ部から脱する方向に付勢するコイルバネと、
前記シリンダ部の開口端と前記鍔部との間に介装され、前記コイルバネを内面側に収容するスリーブと、
前記取付部に設けられ、前記収容容器と前記外筒部との間を連通する空気流路と、
前記流路に接続されたノズルとを備えているトリガー式噴霧器。
【請求項２】
前記液体は、金属腐食性液体であり、前記コイルバネは金属材製であることを請求項１に記載のトリガー式噴霧器。
【請求項３】
液体を収容するための開口部を有する収容容器と、
この収容容器の開口部に着脱自在に取り付けられる取付部と、
この取付部から前記収容容器内にその先端が延設された吸引管と、
前記取付部に設けられ、前記吸引管の他端側が接続された流路と、
前記取付部に一体的に設けられ、底側を前記流路側に向けて設けられた外筒部と、
この外筒部に同軸的に設けられると共に、外周壁が前記外筒部の内周壁と隙間をもって配置され、底部に前記流路側に接続される開口部を有するシリンダ部と、
このシリンダ部を先端を前記底部に向けて摺動自在に挿脱されると共に軸方向に貫通する貫通孔が設けられたピストンと、
前記ピストンの基端側に取り付けられ、前記ピストンを往復動させる手動レバーと、
前記ピストンの基端側に設けられた鍔部と、
この鍔部と、前記シリンダ部の先端部との間に配置され、前記ピストンを前記シリンダ部から脱する方向に付勢するコイルバネと、
前記シリンダ部の開口端と前記鍔部との間に介装され、前記コイルバネを内面側に収容するスリーブと、
前記取付部に設けられ、前記収容容器と前記外筒部との間を連通する空気流路と、
前記ピストンの基端側の前記貫通孔に接続されたノズルとを備えているトリガー式噴霧器。
【請求項４】
前記液体は、金属腐食性液体であり、前記コイルバネは金属材製であることを請求項３に記載のトリガー式噴霧器。
【手続補正２】
【補正対象書類名】明細書
【補正対象項目名】００２１
【補正方法】変更
【補正の内容】
【００２１】
液体を収容するための開口部を有する収容容器と、この収容容器の開口部に着脱自在に取り付けられる取付部と、この取付部から前記収容容器内にその先端が延設された吸引管と、前記取付部に設けられ、前記吸引管の他端側が接続された流路と、前記取付部に一体的に設けられ、底側を前記流路側に向けて設けられた外筒部と、この外筒部に同軸的に設けられると共に、外周壁が前記外筒部の内周壁と隙間をもって配置され、底部に前記流路側に接続される開口部を有するシリンダ部と、このシリンダ部の先端を前記底部に向けて摺動自在に挿脱されるピストンと、前記ピストンの基端側に取り付けられ、前記ピストンを往復動させる手動レバーと、前記ピストンの基端側に設けられた鍔部と、この鍔部と、前記シリンダ部の先端部との間に配置され、前記ピストンを前記シリンダ部から脱する方向に付勢するコイルバネと、前記シリンダ部の開口端と前記鍔部との間に介装され、前記コイルバネを内面側に収容するスリーブと、前記取付部に設けられ、前記収容容器と前記外筒部との間を連通する空気流路と、前記流路に接続されたノズルとを備えている。
【手続補正３】
【補正対象書類名】明細書
【補正対象項目名】００２２
【補正方法】変更
【補正の内容】
【００２２】
液体を収容するための開口部を有する収容容器と、この収容容器の開口部に着脱自在に取り付けられる取付部と、この取付部から前記収容容器内にその先端が延設された吸引管と、前記取付部に設けられ、前記吸引管の他端側が接続された流路と、前記取付部に一体的に設けられ、底側を前記流路側に向けて設けられた外筒部と、この外筒部に同軸的に設けられると共に、外周壁が前記外筒部の内周壁と隙間をもって配置され、底部に前記流路側に接続される開口部を有するシリンダ部と、このシリンダ部を先端を前記底部に向けて摺動自在に挿脱されると共に軸方向に貫通する貫通孔が設けられたピストンと、前記ピストンの基端側に取り付けられ、前記ピストンを往復動させる手動レバーと、前記ピストンの基端側に設けられた鍔部と、この鍔部と、前記シリンダ部の先端部との間に配置され、前記ピストンを前記シリンダ部から脱する方向に付勢するコイルバネと、前記シリンダ部の開口端と前記鍔部との間に介装され、前記コイルバネを内面側に収容するスリーブと、前記取付部に設けられ、前記収容容器と前記外筒部との間を連通する空気流路と、前記ピストンの基端側の前記貫通孔に接続されたノズルとを備えている。
【手続補正４】
【補正対象書類名】明細書
【補正対象項目名】００７２
【補正方法】変更
【補正の内容】
【００７２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本願出願の当初の特許請求の範囲に記載された発明を付記する。
［１］液体を収容するための開口部を有する収容容器と、
この収容容器の開口部に着脱自在に取り付けられる取付部と、
この取付部から前記収容容器内にその先端が延設された吸引管と、
前記取付部に設けられ、前記吸引管の他端側が接続された流路と、
前記取付部に一体的に設けられ、底側を前記流路側に向けて設けられた外筒部と、
この外筒部に同軸的に設けられると共に、外周壁が前記外筒部の内周壁と隙間をもって配置され、底部に前記流路側に接続される開口部を有するシリンダ部と、
このシリンダ部の先端を前記底部に向けて摺動自在に挿脱されるピストンと、
前記ピストンの基端側に取り付けられ、前記ピストンを往復動させる手動レバーと、
前記ピストンの基端側に設けられた係合部と、
この係合部と、前記シリンダ部の先端部との間に配置され、前記ピストンを前記シリンダ部から脱する方向に付勢するコイルバネと、
前記シリンダ部の開口端と前記係合部との間に介装され、前記コイルバネを内面側に収容するスリーブと、
前記取付部に設けられ、前記収容容器と前記外筒部との間を連通する空気流路と、
前記流路に接続されたノズルとを備えているトリガー式噴霧器。
［２］前記液体は、金属腐食性液体であり、前記コイルバネは金属材製である［１］に記載のトリガー式噴霧器。
［３］液体を収容するための開口部を有する収容容器と、
この収容容器の開口部に着脱自在に取り付けられる取付部と、
この取付部から前記収容容器内にその先端が延設された吸引管と、
前記取付部に設けられ、前記吸引管の他端側が接続された流路と、
前記取付部に一体的に設けられ、底側を前記流路側に向けて設けられた外筒部と、
この外筒部に同軸的に設けられると共に、外周壁が前記外筒部の内周壁と隙間をもって配置され、底部に前記流路側に接続される開口部を有するシリンダ部と、
このシリンダ部を先端を前記底部に向けて摺動自在に挿脱されると共に軸方向に貫通する貫通孔が設けられたピストンと、
前記ピストンの基端側に取り付けられ、前記ピストンを往復動させる手動レバーと、
前記ピストンの基端側に設けられた係合部と、
この係合部と、前記シリンダ部の先端部との間に配置され、前記ピストンを前記シリンダ部から脱する方向に付勢するコイルバネと、
前記シリンダ部の開口端と前記係合部との間に介装され、前記コイルバネを内面側に収容するスリーブと、
前記取付部に設けられ、前記収容容器と前記外筒部との間を連通する空気流路と、
前記ピストンの基端側の前記貫通孔に接続されたノズルとを備えているトリガー式噴霧器。
［４］前記液体は、金属腐食性液体であり、前記コイルバネは金属材製である［３］に記載のトリガー式噴霧器。